(57)【特許請求の範囲】
【請求項１】
略直方体形状の貯湯タンクユニットの下部に取り付けられ、該貯湯タンクユニットと外
部配管との接続口および／または該外部配管の一部を覆うとともに、前記貯湯タンクユニ
ットの各側面を下方向に延長するように形成した脚部カバーであって、
前記脚部カバーは、前記貯湯タンクユニットに固定するための複数の係止部と、
隣り合う前記脚部カバーとの相対部分となる両端部分と、該両端部分以外の部分とに分
割可能な切込部と、を備え、
分割時の前記両端部分には、少なくとも前記係止部を１つ以上備えるよう構成するとともに、
前記切込部は、前記脚部カバーを前記貯湯タンクユニットへ取り付けた状態での鉛直方
向となる向きに１直線上には配置せず、
前記脚部カバーに、前記外部配管を延出する切欠き部を構成するための配管用切込部を
備え、
前記配管用切込部は、前記切込部と一部共通であることを特徴とする、貯湯式給湯機の脚部カバー。
【請求項２】
略直方体形状の貯湯タンクユニットの下部に取り付けられ、該貯湯タンクユニットと外
部配管との接続口および／または該外部配管の一部を覆うとともに、前記貯湯タンクユニ
ットの各側面を下方向に延長するように形成した脚部カバーであって、
前記脚部カバーは、前記貯湯タンクユニットに固定するための複数の係止部と、
隣り合う前記脚部カバーとの相対部分となる両端部分と、該両端部分以外の部分とに分
割可能な切込部と、を備え、
分割時の前記両端部分には、少なくとも前記係止部を１つ以上備えるよう構成するとともに、
前記脚部カバーの上縁部は、該脚部カバーの主要面に対し前記貯湯タンクユニット側に
傾斜した傾斜部を備えたことを特徴とする貯湯式給湯機の脚部カバー。
【請求項３】
略直方体形状の貯湯タンクユニットの下部に取り付けられ、該貯湯タンクユニットと外
部配管との接続口および／または該外部配管の一部を覆うとともに、前記貯湯タンクユニ
ットの各側面を下方向に延長するように形成した脚部カバーであって、
前記脚部カバーは、前記貯湯タンクユニットに固定するための複数の係止部と、
隣り合う前記脚部カバーとの相対部分となる両端部分と、該両端部分以外の部分とに分
割可能な切込部と、を備え、
分割時の前記両端部分には、少なくとも前記係止部を１つ以上備えるよう構成するとともに、
前記脚部カバーの上縁部は、該脚部カバーの主要面に対し前記貯湯タンクユニット側に
傾斜した傾斜部および前記傾斜部の先端に前記主要面に対し平行な面部を上方向に向けて
備えたことを特徴とする貯湯式給湯機の脚部カバー。
【請求項４】
前記脚部カバーの上縁部は、該脚部カバーの主要面の上縁端面を折り返して曲げた形状
を備えた、請求項３に記載の貯湯式給湯機の脚部カバー。
【請求項５】
前記両端部分に、前記脚部カバーを前記貯湯タンクユニットに固定するための支柱構造
を備えたことを特徴とする、請求項１に記載の貯湯式給湯機の脚部カバー。
【請求項６】
前記脚部カバーは、前記貯湯タンクユニットの角部のＲ形状に沿ったＲ部を備えること
を特徴とする、請求項１乃至５のいずれか１つに記載の貯湯式給湯機の脚部カバー。
【発明の詳細な説明】
【技術分野】
【０００１】
本発明は、貯湯式給湯機の脚部カバーに関するものである。
【背景技術】
【０００２】
貯湯式給湯機の脚部カバーに関し、化粧カバーに配管取り出し口を覆うフタ部を設け、化粧カバーとフタ部との境界部分を化粧カバーの裏側で、略Ｕ字形状の接続部材を用いて接続しておき、フタ部を化粧カバーから切り離すときには、化粧カバーの裏側から接続部材をニッパーなどで切断する構成が記載されている（特許文献１）。
【先行技術文献】
【特許文献】
【０００３】
【特許文献１】特開２０１０−２３０２４１号公報
【発明の概要】
【発明が解決しようとする課題】
【０００４】
貯湯式給湯機の貯湯タンクユニットは概ねその内部中央にカプセル形のタンクを配し、その前方に配管部材を配置していることから、その外形寸法は、幅より奥行きが大きくなる傾向がある。従って、家屋と塀の間等の狭く限られたスペースに据え付けられる場合、奥行きの側面側を家屋に沿わせて設置する事が多い。当該脚部カバーは貯湯タンクユニットを先に据え付けた後で組み付けるため、この場合、家屋側は脚部カバーの構成部品である側面カバーの取り付けが困難となり、取り付けを行わないのが一般的である。そうした場合、側面が欠損した側の安定性が悪く、また、背面などから見た場合にカバーの意匠部が一部欠けてしまうという問題があった。
【０００５】
本発明は、上記のような課題を解決するためになされたもので、側面カバーを取り付けた場合と同様の外観と安定性を得ることを目的とする。
【課題を解決するための手段】
【０００６】
略直方体形状の貯湯タンクユニットの下部に取り付けられ、貯湯タンクユニットと外部配管との接続口および／または外部配管の一部を覆うとともに、貯湯タンクユニットの各側面を下方向に延長するように形成した脚部カバーであって、脚部カバーは、貯湯タンクユニットに固定するための複数の係止部と、隣り合う脚部カバーとの相対部分となる両端部分と、両端部分以外の部分とに分割可能な切込部と、を備え、分割時の両端部分には、少なくとも係止部を１つ以上備えるよう構成するとともに、切込部は、脚部カバーを貯湯タンクユニットへ取り付けた状態での鉛直方向となる向きに１直線上には配置せず、脚部カバーに、外部配管を延出する切欠き部を構成するための配管用切込部を備え、配管用切込部は、切込部と一部共通である。
【発明の効果】
【０００７】
外観を損ねることなく、脚部カバー組み付け後の安定性を得ることが可能となる。
【図面の簡単な説明】
【０００８】
【図１】本発明の実施の形態１を示す貯湯タンクユニットの外観図である。
【図２】脚部カバーの構成部品である配管カバー（右）の詳細図である。
【図３】脚部カバーの構成部品である配管カバー（左）の詳細図である。
【図４】脚部カバーの構成部品である側面カバー（右）の詳細図である。
【図５】脚部カバーの構成部品である側面カバー（左）の詳細図である。
【図６】脚部カバーの構成部品である後面カバーの詳細図である。
【図７】脚部カバーの構成部品である前面カバーの詳細図である。
【図８】脚部カバー構成部品の取り付け説明図である。
【図９】脚部カバー構成部品の取り付け説明図である。
【図１０】脚部カバー構成部品の取り付け説明図である。
【図１１】脚部カバー構成部品の取り付け説明図である。
【図１２】本発明の実施の形態１を示す脚部カバー取り付け状態の外観図である。
【発明を実施するための形態】
【０００９】
実施の形態１．
図１（Ａ）は、本発明の実施の形態１を示す貯湯式給湯機１００の貯湯タンクユニット１０に脚部カバー２０を組み付けた状態の構成図で前面および右側面を示している。また、図１（Ｂ）は、図１（Ａ）の対角から見た後面および左側面の組み付け状態を示している。
【００１０】
図１（Ａ）、（Ｂ）に示すように、脚部カバー２０は配管カバー（右）３０、配管カバー（左）３１、側面カバー（右）４０、側面カバー（左）４１、後面カバー５０、前面カバー６０の６つの板金部品で構成されており、貯湯タンクユニット１０への組み付けは、後述するように、夫々、貯湯タンクユニット１０の構成部品である配管カバー（右）固定用ねじ１０ａ、配管カバー（左）固定用ねじ１０ｂ、右ケース下部固定ねじ１０ｃ、左ケース下部固定ねじ１０ｄ、後ケース下部固定ねじ１０ｅを流用して締め付け固定を行い、最後に固定を行う前面カバー６０のみ当該脚部カバー２０の構成部品である配管カバー（右）３０および配管カバー（左）３１に対して締め付け固定を行うが、メンテナンス等において、据え付け後の取り外しが見込まれるため、工具なしでも締め付け可能な脚部カバー２０の構成部品である、つまみねじ７０で締め付け固定を行う。
【００１１】
次に、図２は、図１に示す脚部カバー２０の配管カバー（右）３０の詳細図であり、（Ａ）が正面側を（Ｂ）が背面側を示している。配管カバー（右）３０は、貯湯タンクユニット１０の前面下部に設けられた配管接続部である、けこみ部８０の右側面側をカバーするための部品で、意匠部品であるとともに、当該脚部カバー２０の構成部品を固定するための支持金具の役割も備えている。その形状は、貯湯タンクユニット１０に組み付けた状態で右側面に位置する長方形の平面である意匠面３０ａを基準とし、同面の４辺から意匠面３０ａの反対方向に向かって垂直にフランジを設けている。それらのフランジは上部を上面３０ｂ、下部を底面３０ｃ、後部を背面３０ｄ、前部を内前面３０ｅとし、配管カバー（右）３０に支持金具としての剛性を持たせている。また、前述の上面３０ｂの内前面３０ｅ寄りの位置に、差込部３０ｆが上に向かって突出しており、組付け時に同部を貯湯タンクユニット１０の側面ケース内側に挿入することにより、当該部品が外側に開く事を防止するストッパーの役割を果たしている。前述の背面３０ｄには当該部品を貯湯タンクユニット１０に取り付ける際のねじ締結に必要な固定用穴３０ｇが上部に、固定用切欠３０ｈが下部に双方併せて複数箇所設けられている。なお、下部が穴ではなく切欠となっているのは、組立性の向上を図るためであるが、詳細は後述する。
【００１２】
前述の内前面３０ｅの意匠面３０ａの反対側の一辺から垂直方向に当該部品の外側に向かって段状態に面が構成されており、意匠面３０ａと平行な面を内側面３０ｉ、意匠面３０ａに垂直な面を前面３０ｊとしている。また、これらの部分の剛性をはかるために、前面３０ｊからさらに当該部品の内側方向へ垂直に前面折り返し３０ｋを設けている。そして、これらの段状に曲げられた部分が脚部カバー２０の前面右側コーナー部の支柱（支柱構造）となり、組み付け後の安定を保つことができる。また、前述の内側面３０ｉの下部には、後述の側面カバー（右）４０の組付け作業性を良くするために、側面ツメ４０ｇの係止部として側面ツメ掛け穴３０ｌを設けている。また、前述の内前面３０ｅの上部には、上部ツメ掛け穴３０ｍが設けてあり、後述の前面カバー６０の上部ツメ６０ｄを当該穴に挿入することにより、前面３０ｊに設けられたつまみねじ締付穴３０ｎと前面カバー６０に取付けられたつまみねじ７０の位置決めが可能となる。この側面ツメ掛け穴３０ｍの形状は、図２（Ａ）のａ部詳細に示すように、意匠面３０ａ側の辺を垂直とし、下部を細くした直角三角形に近い形状となっている。この形状により、当該穴に挿入するツメが入れやすく、係止後は左右のガタ付き防止が図れ、且つ、意匠面３０ａ側の辺により、前面カバー６０が組付け後に外側に開くのを防ぐことができる。
【００１３】
次に、図３は、図１に示す脚部カバー２０の配管カバー（左）３１の詳細図であり、（Ａ）が正面側を（Ｂ）が背面側を示している。配管カバー（左）３１は、貯湯タンクユニット１０の前面下部に設けられた配管接続部である、けこみ部８０の左側面側をカバーするための部品で、意匠部品であるとともに、当該脚部カバー２０の構成部品を固定するための支持金具の役割も備えている。その形状は、貯湯タンクユニット１０に組み付けた状態で左側面に位置する長方形の平面である意匠面３１ａを基準とし、同面の４辺から意匠面３１ａの反対方向に向かって垂直にフランジを設けている。それらのフランジは上部を上面３１ｂ、下部を底面３１ｃ、後部を背面３１ｄ、前部を内前面３１ｅとし、配管カバー（左）３１に支持金具としての剛性を持たせている。また、前述の上面３１ｂの内前面３１ｅ寄りの位置に、差込部３１ｆが上に向かって突出しており、組付け時に同部を貯湯タンクユニット１０の側面ケース内側に挿入することにより、当該部品が外側に開く事を防止するストッパーの役割を果たしている。前述の背面３１ｄには当該部品を貯湯タンクユニット１０に取り付ける際のねじ締結に必要な固定用穴３１ｇが上部に、固定用切欠３１ｈが下部に双方併せて複数箇所設けられている。なお、下部が穴ではなく切欠となっているのは、組立性の向上を図るためであるが、詳細は後述する。
【００１４】
前述の内前面３１ｅの意匠面３１ａの反対側の一辺から垂直方向に当該部品の外側に向かって段状態に面が構成されており、意匠面３１ａと平行な面を内側面３１ｉ、意匠面３１ａに垂直な面を前面３１ｊとしている。また、これらの部分の剛性をはかるために、前面３１ｊからさらに当該部品の内側方向へ垂直に前面折り返し３１ｋを設けている。そして、これらの段状に曲げられた部分が脚部カバー２０の前面左側コーナー部の支柱（支柱構造）となり、組み付け後の安定を保つことができる。また、前述の内側面３１ｉの下部には、後述の側面カバー（左）４１の組付け作業性を良くするために、側面ツメ４１ｇの係止部として側面ツメ掛け穴３１ｌを設けている。また、前述の内前面３１ｅの上部には、上部ツメ掛け穴３１ｍが設けてあり、後述の前面カバー６０の上部ツメ６０ｄを当該穴に挿入することにより、前面３１ｊに設けられたつまみねじ締付穴３１ｎと前面カバー６０に取付けられたつまみねじ７０の位置決めが可能となる。この側面ツメ掛け穴３１ｍの形状は、図３（Ａ）のｂ部詳細に示すように、意匠面３１ａ側の辺を垂直とし、下部を細くした直角三角形に近い形状となっている。この形状により、当該穴に挿入するツメが入れやすく、係止後は左右のガタ付き防止が図れ、且つ、意匠面３１ａ側の辺により、前面カバー６０が組付け後に外側に開くのを防ぐことができる。
【００１５】
次に図４は、図１に示す脚部カバー２０の側面カバー（右）４０の詳細図であり、（Ａ）が正面側を（Ｂ）が背面側を示している。側面カバー（右）４０は、貯湯タンクユニット１０の器体脚部の右側面側をカバーするための部品で、意匠部品であるとともに、その一部は当該脚部カバー２０の構成部品を固定するための支持金具の役割も備えている。その形状は、貯湯タンクユニット１０に組み付けた状態で右側面に位置する長方形の平面である意匠面４０ａを基準とし、同面の前部と下部の２辺から意匠面４０ａの反対方向に向かって垂直にフランジを設けている。それらのフランジは前部を内前面４０ｂ、下部を底面４０ｃとし部品としての剛性を持たせている。意匠面４０ａの後部は、前述のフランジと同様に意匠面４０ａの反対方向に向かって垂直に背面４０ｄを形成しているが、意匠面４０ａと背面４０ｄの間は、Ｒ形状でつながれており、当該Ｒ部で貯湯タンクユニット１０の外側から後部右側コーナーＲを密着させて覆うことで、外観をすっきり見せる効果がある。そして、背面４０ｄから内側に向かって段状に背面４０ｄと平行に後面カバーガイド４０ｅが形成されており、これらの部分が前述のＲ部とともに、脚部カバー２０を貯湯タンクユニット１０に組付けた時に右後部の支柱（支柱構造）の役割を果たすことになる。
【００１６】
また、後面カバーガイド４０ｅの中央部には、後述の後面カバー５０に設けられた両側面ツメ５０ｄを係止させるための背面ツメ掛け穴４０ｆが設けられており、同部は、後面カバー５０の支持金具の役割も担っている。また、内前面４０ｂの意匠面４０ａの反対側の一辺から垂直方向に当該部品の外側に向かって段状に面が構成されており、意匠面４０ａと平行な面を内側面４０ｇ、意匠面４０ａに垂直な面を前面４０ｈとしている。そして、これらの段状に曲げられた部分が前述の配管カバー（右）３０で説明した同様の部分とともに脚部カバー２０の前面右側コーナー部の支柱（支柱構造）となり、組み付け後の安定を保つことができる。また、内側面４０ｇの上部には、当該部品の組付け作業性を良くするために、前述の配管カバー（右）３０の側面ツメ掛け穴３０ｋに係止するための側面ツメ４０ｉを設けている。また、内前面４０ｂの中央部には、後述の前面カバー６０の下部ツメ６０ｅを係止するための下部ツメ掛け穴４０ｊが設けてある。同穴の形状は、図４（Ａ）のｃ部詳細に示すように、意匠面４０ａ側の辺を垂直とし、下部を細くした直角三角形に近い形状となっている。この形状により、当該穴に挿入するツメが入れやすく、係止後は横方向のガタ付き防止が図れ、且つ、意匠面４０ａ側の辺により、前面カバー６０が組付け後に外側に開くのを防ぐことができる。また、意匠面４０ａの上部は、内前面４０ｂから背面４０ｄに渡って上縁部４０ｋを形成しており、その断面は図４（Ａ）のｄ部断面（１）に示されるように、意匠面４０ａと反対方向に若干の角度（本件は５度で説明）を持たせている。上縁部４０ｋのこの形状により、当該部品側面カバー（右）４０を貯湯タンクユニット１０に組み付けた際の隙間を防ぎ、密着性を良くし、外観をすっきり見せる効果があるとともに、上縁部４０ｋに剛性を持たせている。
【００１７】
また、この上縁部４０ｋは、図４（Ａ）のｄ部断面（２）のように、意匠面４０ａと反対方向に若干の角度を持たせ、その先端に意匠面４０ａと平行な面部を上方に向けて若干寸法設けた形状とすることや、ｄ部断面（３）のように、意匠面４０ａの上縁端面を１８０度折り返して曲げた形状とすることでも、前述と同様の効果を得ることが可能であるとともに、上縁部４０ｋによる貯湯タンクユニット１０への傷付け防止や当該部の錆を防止する効果が得られる。そして、意匠面４０ａの上部には固定用穴４０ｌが複数（本件は３箇所）設けられており側面カバー（右）４０を貯湯タンクユニット１０へ組付けの際は、一旦、右ケース下部固定ねじ１０ｃを外し、前述の固定用穴４０ｌに貫通させ、再び同ねじを使用し共締めによる固定とする。また、意匠面４０ａには、貯湯タンクユニット１０を据え付ける場合に同時に行う配管工事において各配管が当該部品を貫通する必要がある場合において、その貫通穴を配管工事状況にあわせて切り抜きし易くするための配管用切込部４０ｍが複数箇所設けられている。同部は、簡単な工具で、切抜きし易いように極細の貫通穴に一定の間隔で切込み部を設けたものである。また、意匠面４０ａの背面４０ｄ寄りの位置には、後側切込部４０ｎが、内前面４０ｂ寄りの位置には前側切込部４０ｏが前述の配管用切込部４０ｍと同様に設けられており、その使用方法は後述するが、いずれの切込部も切込部を切断しない場合においても当該部品の長手方向（貯湯タンクユニットに固定した状態での横方向となる側）の強度低下を回避し、剛性を確保するため、縦方向に一直線上に構成されないよう配置するものとする。また、いずれの切込部においても切込部を切断し夫々分割して使用する場合に、組み付け固定に必要となるため、夫々の分割片である右前部４０ｐおよび右後部４０ｑに必ず前述の固定用穴４０ｌが１箇所以上備わった構成とする。
【００１８】
次に、図５は、図１に示す脚部カバー２０の側面カバー（左）４１の詳細図であり、（Ａ）が正面側を（Ｂ）が背面側を示している。側面カバー（左）４１は、貯湯タンクユニット１０の器体脚部の左側面側をカバーするための部品で、意匠部品であるとともに、その一部は当該脚部カバー２０の構成部品を固定するための支持金具の役割も備えている。その形状は、貯湯タンクユニット１０に組み付けた状態で左側面に位置する長方形の平面である意匠面４１ａを基準とし、同面の前部と下部の２辺から意匠面４１ａの反対方向に向かって垂直にフランジを設けている。それらのフランジは前部を内前面４１ｂ、下部を底面４１ｃとし部品としての剛性を持たせている。意匠面４１ａの後部は、前述のフランジと同様に意匠面４１ａの反対方向に向かって垂直に背面４１ｄを形成しているが、意匠面４１ａと背面４１ｄの間は、Ｒ形状でつながれており、当該Ｒ部で貯湯タンクユニット１０の外側から後部左側コーナーＲを密着させて覆うことで、外観をすっきり見せる効果がある。そして、背面４１ｄから内側に向かって段状に背面４１ｄと平行に後面カバーガイド４１ｅが形成されており、これらの部分が前述のＲ部とともに、脚部カバー２０を貯湯タンクユニット１０に組付けた時に左後部の支柱（支柱構造）の役割を果たすことになる。
【００１９】
また、後面カバーガイド４１ｅの中央部には、後述の後面カバー５０に設けられた両側面ツメ５０ｄを係止させるための背面ツメ掛け穴４１ｆが設けられており、同部は、後面カバー５０の支持金具の役割も担っている。また、内前面４１ｂの意匠面４１ａの反対側の一辺から垂直方向に当該部品の外側に向かって段状に面が構成されており、意匠面４１ａと平行な面を内側面４１ｇ、意匠面４１ａに垂直な面を前面４１ｈとしている。そして、これらの段状に曲げられた部分が前述の配管カバー（左）３１で説明した同様の部分とともに脚部カバー２０の前面左側コーナー部の支柱（支柱構造）となり、組み付け後の安定を保つことができる。また、内側面４１ｇの上部には、当該部品の組付け作業性を良くするために、前述の配管カバー（左）３１の側面ツメ掛け穴３１ｋに係止するための側面ツメ４１ｉを設けている。また、内前面４１ｂの中央部には、後述の前面カバー６０の下部ツメ６０ｆを係止するための下部ツメ掛け穴４１ｊが設けてある。同穴の形状は、図５（Ａ）のｅ部詳細に示すように、意匠面４１ａ側の辺を垂直とし、下部を細くした直角三角形に近い形状となっている。この形状により、当該穴に挿入するツメが入れやすく、係止後は横方向のガタ付き防止が図れ、且つ、意匠面４１ａ側の辺により、前面カバー６０が組付け後に外側に開くのを防ぐことができる。また、意匠面４１ａの上部は、内前面４１ｂから背面４１ｄに渡って上縁部４１ｋを形成しており、その断面は図５（Ａ）のｆ部断面（１）に示されるように、意匠面４１ａと反対方向に若干の角度（本件は５度で説明）を持たせている。上縁部４１ｋのこの形状により、当該部品側面カバー（左）４１を貯湯タンクユニット１０に組み付けた際の隙間を防ぎ、密着性を良くし、外観をすっきり見せる効果があるとともに、上縁部４１ｋに剛性を持たせている。
【００２０】
また、この上縁部４１ｋは、図４（Ａ）のｆ部断面（２）のように、意匠面４１ａと反対方向に若干の角度を持たせてかつその先端に意匠面４１ａと平行な面部を上方に向けて若干寸法設けた形状とすることや、ｆ部断面（３）のように意匠面４１ａの上縁端面を１８０度折り返して曲げた形状とすることでも、前述と同様の効果を得ることが可能であるとともに、上縁部４１ｋによる貯湯タンクユニット１０への傷付け防止や当該部の錆を防止する効果が得られる。そして、意匠面４１ａの上部には固定用穴４１ｌが複数（本件は３箇所）設けられており側面カバー（左）４１を貯湯タンクユニット１０へ組付けの際は、一旦、左ケース下部固定ねじ１０ｄを外し、前述の固定用穴４１ｌに貫通させ、再び同ねじを使用し共締めによる固定とする。また、意匠面４１ａには、貯湯タンクユニット１０を据え付ける場合に同時に行う配管工事において各配管が当該部品を貫通する必要がある場合において、その貫通穴を配管工事状況にあわせて切り抜きし易くするための配管用切込部４１ｍが複数箇所設けられている。同部は、簡単な工具で、切抜きし易いように極細の貫通穴に一定の間隔で切込み部を設けたものである。また、意匠面４１ａの背面４１ｄ寄りの位置には、後側切込部４１ｎが、内前面４１ｂ寄りの位置には前側切込部４１ｏが前述の配管用切込部４１ｍと同様に設けられており、その使用方法は後述するが、いずれの切込部も切込部を切断しない場合においても当該部品の長手方向（貯湯タンクユニットに固定した状態での横方向となる側）の強度低下を回避し、剛性を確保するため、縦方向に一直線上に構成されないよう配置するものとする。また、いずれの切込部においても切込部を切断し夫々分割して使用する場合に、組み付け固定に必要となるため、夫々の分割片である右前部４１ｐおよび右後部４１ｑに必ず前述の固定用穴４１ｌが１箇所以上備わった構成とする。
【００２１】
次に図６は、図１に示す脚部カバー２０の後面カバー５０の詳細図であり、（Ａ）が正面側を（Ｂ）が背面側を示している。後面カバー５０は、貯湯タンクユニット１０の器体脚部の後面側をカバーするための部品で、意匠部品である。その形状は、貯湯タンクユニット１０に組み付けた状態で後面に位置する長方形の平面である意匠面５０ａを基準とし、同面の左右の２辺および下部から意匠面５０ａの反対方向に向かって垂直にフランジを設けている。それらのフランジは左右を両側面５０ｂ、下部を底面５０ｃとし部品としての剛性を持たせている。左右２箇所に設けた両側面５０ｂの中央部には、より突出した部分で両側面ツメ５０ｄが形成され、前述の側面カバー（右）４０の背面ツメ掛け穴４０ｊおよび前述の側面カバー（左）４１の背面ツメ掛け穴４１ｊに対する係止部となっている。
【００２２】
また、意匠面５０ａの上部は、両側面５０ｂの間に渡って上縁部５０ｅを形成しており、その断面は図６（Ａ）のｇ部断面に示されるように、意匠面５０ａと反対方向に若干の角度（本件は５度で説明）を持たせている。上縁部５０ｅのこの形状により、当該部品後面カバー５０を貯湯タンクユニット１０に組み付けた際の隙間を防ぎ、密着性を良くし、外観をすっきり見せる効果があるとともに、上縁部５０ｅに剛性を持たせている。また、この上縁部５０ｅは、図６（Ａ）のｇ部断面に併記したように、意匠面５０ａと反対方向に若干の角度を持たせてかつその先端に意匠面５０ａと平行な面部を上方に向けて若干寸法設けた形状とすることや、意匠面５０ａの上縁端面を１８０度折り返して曲げた形状とすることでも、前述と同様の効果を得ることが可能であるとともに、上縁部５０ｅによる貯湯タンクユニット１０への傷付け防止や当該部の錆を防止する効果が得られる。そして、意匠面５０ａの上部には固定用穴５０ｆが複数（本件は３箇所）設けられており後面カバー５０を貯湯タンクユニット１０へ組付けの際は、一旦、後ケース下部固定ねじ１０ｅを外し、前述の固定用穴５０ｆに貫通させ、再び同ねじを使用し共締めによる固定とする。
【００２３】
また、意匠面５０ａには、貯湯タンクユニット１０を据え付ける場合に同時に行う配管工事において各配管が当該部品を貫通する必要がある場合において、その貫通穴を配管工事状況にあわせて切り抜きし易くするための配管用切込部５０ｇが複数箇所設けられている。同部は、簡単な工具で、切抜きし易いように極細の貫通穴に一定の間隔で切込み部を設けたものである。
【００２４】
次に図７は、図１に示す脚部カバー２０の前面カバー６０の詳細図であり、（Ａ）が正面側を（Ｂ）が背面側を示している。前面カバー６０は、貯湯タンクユニット１０の器体脚部の前面側をカバーするための部品で、意匠部品である。その形状は、貯湯タンクユニット１０に組み付けた状態で前面に位置する長方形の平面である意匠面６０ａを基準とし、同面の上下の２辺から意匠面６０ａの反対方向に向かって垂直にフランジを設けている。それらのフランジは上部を上面６０ｂ、下部を底面６０ｃとし部品としての剛性を持たせている。意匠面６０ａの左右側面部は、前述のフランジと同様に意匠面６０ａの反対方向に向かって垂直にコーナー部６０ｄを形成しているが、意匠面６０ａと左右のコーナー部６０ｄの間は、貯湯タンクユニット１０の前部左右コーナーＲと同じＲ形状でつながれている。そして、それらのコーナー部６０ｄには、上部左右に上部ツメ６０ｅが２箇所、下部左右に下部ツメ６０ｆが２箇所それぞれ意匠面６０ａの反対方向へ垂直に突出して設けられている。それらは、当該部品を組み付ける際に、上部ツメ６０ｅが配管カバー（右）３０の上部ツメ掛け穴３０ｌおよび配管カバー（左）３１の上部ツメ掛け穴３１ｌに、下部ツメ６０ｆが側面カバー（右）４０の下部ツメ掛け穴４０ｊおよび側面カバー（左）４１の下部ツメ掛け穴４１ｊにそれぞれ係止する。
【００２５】
また、意匠面６０ａの左右中央部には固定用穴６０ｇが複数（本件は２箇所）設けられており脚部カバー２０の同梱部品であるつまみねじ７０を同穴に貫通させ、当該部品を組み付ける際に使用する。また、意匠面６０ａには、貯湯タンクユニット１０を据え付ける場合に同時に行う配管工事において各配管が当該部品を貫通する必要がある場合において、その貫通穴を配管工事状況にあわせて切り抜きし易くするための配管用切込部６０ｈが複数箇所設けられている。同部は、簡単な工具で、切抜きし易いように極細の貫通穴に一定の間隔で切込み部を設けたものである。
【００２６】
次に、図８から図１１で脚部カバー２０の各構成部品の組付け順序および組付け方法を説明する。まず、図８に示すように貯湯タンクユニット１０の、けこみ部８０に予め装備された上部の配管カバー（右）固定用ねじ１０ａを外し、下部の配管カバー（右）固定用ねじ１０ａを２〜３ｍｍ程度締結面より浮かせて緩める。次に配管カバー（右）３０の差込部３０ｆを貯湯タンクユニット１０の右側面ケース内側に挿入するのと同時に背面３０ｄに設けられた固定用切欠３０ｈを前述で緩めておいた下部の配管カバー（右）固定用ねじ１０ａのねじの頭部下に差し込む。この事により、配管カバー（右）３０は手で押さえなくとも落下しない状態となり、そこで一旦外しておいた上部の配管カバー（右）固定用ねじ１０ａを容易に締め付けることが可能となる。そうして、前述で緩めた下部の配管カバー（右）固定用ねじ１０ａもしっかり締め付けを行い、組付けを完了させる。同様にして、貯湯タンクユニット１０の、けこみ部８０に予め装備された上部の配管カバー（左）固定用ねじ１０ｂを外し、下部の配管カバー（左）固定用ねじ１０ｂを２〜３ｍｍ程度締結面より浮かせて緩める。次に配管カバー（左）３１の差込部３１ｆを貯湯タンクユニット１０の左側面ケース内側に挿入するのと同時に背面３１ｄに設けられた固定用切欠３１ｈを前述で緩めておいた下部の配管カバー（左）固定用ねじ１０ｂのねじの頭部下に差し込む。この事により、配管カバー（左）３１は手で押さえなくとも落下しない状態となり、そこで一旦外しておいた上部の配管カバー（左）固定用ねじ１０ｂを容易に締め付けることが可能となる。そうして、前述で緩めた下部の配管カバー（左）固定用ねじ１０ｂもしっかり締め付けを行い、組付けを完了させる。なお、配管カバー（右）３０と配管カバー（左）３１については、そのどちらを先に取り付けても良い。
【００２７】
次に図９では、側面カバー（右）４０と側面カバー（左）４１の組付けを説明する。側面カバー（右）４０の組み付けは、まず、貯湯タンクユニット１０の構成部品である右ケース下部固定ねじ１０ｃ（本件は３箇所）を一旦外す。次に、側面カバー（右）４０の側面ツメ４０ｉを既設の配管カバー（右）３０の側面ツメ掛け穴３０ｌに係止させてから固定用穴４０ｌに外したねじを夫々貫通させ、再び同ねじを使用し貯湯タンクユニット１０の右側面ケースと共締めによる固定を行う。この時、側面カバー（右）４０の一方の片端を係止しているため、もう一方の片端の下部を軽く支えるだけで右ケース下部固定用ねじ１０ｃを容易に締め付けることが可能となる。同様にして、側面カバー（左）４１の組み付けは、まず、貯湯タンクユニット１０の構成部品である左ケース下部固定ねじ１０ｄ（本件は３箇所）を一旦外す。次に、側面カバー（左）４１の側面ツメ４１ｉを既設の配管カバー（左）３１の側面ツメ掛け穴３１ｌに係止させてから固定用穴４１ｌに外したねじを夫々貫通させ、再び同ねじを使用し貯湯タンクユニット１０の左側面ケースと共締めによる固定を行う。この時、側面カバー（左）４１の一方の片端を係止しているため、もう一方の片端の下部を軽く支えるだけで左ケース下部固定ねじ１０ｄを容易に締め付けることが可能となる。
【００２８】
次に図１０で、後面カバー５０の組付けを説明する。後面カバー５０の組み付けは、まず、貯湯タンクユニット１０の構成部品である後ケース下部固定ねじ１０ｅ（本件は３箇所）を一旦外す。次に、後面カバー５０の左右の両側面ツメ５０ｄを既設の側面カバー（右）４０の背面ツメ掛け穴４０ｆおよび側面カバー（左）４１の背面ツメ掛け穴４１ｆにそれぞれ係止させてから固定用穴５０ｆに外したねじを夫々貫通させ、再び同ねじを使用し貯湯タンクユニット１０の後面ケースと共締めによる固定を行う。この時、後面カバー５０の両端を係止しているため、手で支える必要がなく、後ケース下部固定用ねじ１０ｅを容易に締め付けることが可能となる。最後に、次に図１１に示すように、前面カバー６０の上部ツメ６０ｅを配管カバー（右）３０の上部ツメ掛け穴３０ｍおよび配管カバー（左）３１の上部ツメ掛け穴３１ｍに、下部ツメ６０ｆを側面カバー（右）４０の下部ツメ掛け穴４０ｊおよび側面カバー（左）４１の下部ツメ掛け穴４１ｊにそれぞれ係止させ、前面カバー６０に取付けられた同梱部品のつまみねじ７０を既設の配管カバー（右）３０のつまみねじ締付穴３０ｍおよび配管カバー（左）３１のつまみねじ締付穴３１ｍへ締付けして脚部カバー２０の組付けを完了する。
【００２９】
前項の説明は、貯湯タンクユニット１０の据え付けスペースが充分に確保でき、当該脚部カバー２０の構成部品すべての組付けが問題なく行われる場合について説明したが、次に、貯湯タンクユニット１０の片方の側面に家屋の壁や塀などの障害物があり、どちらか一方の側面カバーの取り付けが困難な場合の脚部カバー２０の組付け方法を説明する。図１２（Ａ）は貯湯タンクユニット１０の右側面側に障害物等（本例では、図示しない壁および壁の下部から壁内部に貫通する貯湯タンクユニットに接続される外部配管）があって脚部カバー２０の構成部品である側面カバー（右）４０の組付けが困難な場合を示している。前述したとおり側面カバー（右）４０は、意匠部品であるとともに、その前部および後部は当該脚部カバー２０の構成部品を固定するための支持金具であり、組み付け後の安定性を図る支柱の役割を果たしている。すなわち、側面カバー（右）４０を欠くことは、貯湯タンクユニット１０の後面側からの外観を損ねるとともに、脚部カバー２０の右側面側の前後コーナー部の安定性を欠くことにつながる。本発明はかかる問題を解消するために考案されたもので、脚部カバー（右）４０の前部に前側切込部４０ｎ、後部に後側切込部４０ｏの２箇所に上下方向に渡り簡単な工具で切り離せる切込みを設け、同部を切り離すことにより、脚部カバー（右）４０を３つに分割することを可能とした。そして、分割された３つの分割片のうち同部品の前部支柱となる右前部４０ｐと後部支柱となる右後部４０ｑのみを活かして使用することにより、外観を損ねることなく、組み付け後の安定性も図ることが可能となる。前述の前側切込部４０ｎにおいては、その一部が配管用切込部４０ｍと兼ねられた構成となっているが、前側切込部４０ｎおよび後側切込部４０ｏのいずれの切込部においても切込部を切断しない場合において部品単体としての剛性を確保するため、縦方向に一直線上に構成されないよう配置するものとする。また、いずれの切込部においても切込部を切断し夫々分割して使用する場合に、組み付け固定に必要となるため、夫々の分割片である右前部４０ｐおよび右後部４０ｑに必ず前述の固定用穴４０ｌが１箇所以上備わった構成とする。このように構成すれば、側面カバーの組み付けが困難となる面と隣り合う面側から各々の分割片を個別に組み付け可能となり、側面カバー全体を施工し難い面に無理に固定することなく、意匠上や強度上必要な分割片の部分だけを容易に施工可能となるので、施工性が向上するとともに意匠性も向上する。
【００３０】
図１２（Ｂ）は貯湯タンクユニット１０の左側面側に障害物等（本例では、図示しない壁および壁の下部から壁内部に貫通する貯湯タンクユニットに接続される外部配管）があって脚部カバー２０の構成部品である側面カバー（左）４１の組付けが困難な場合を示している。前述したとおり側面カバー（左）４１は、意匠部品であるとともに、その前部および後部は当該脚部カバー２０の構成部品を固定するための支持金具であり、組み付け後の安定性を図る支柱の役割を果たしている。すなわち、側面カバー（左）４１を欠くことは、貯湯タンクユニット１０の後面側からの外観を損ねるとともに、脚部カバー２０の左側面側の前後コーナー部の安定性を欠くことにつながる。本発明はかかる問題を解消するために考案されたもので、脚部カバー（左）４１の前部に前側切込部４１ｎ、後部に後側切込部４１ｏの２箇所に上下方向に渡り簡単な工具で切り離せる切込みを設け、同部を切り離すことにより、脚部カバー（左）４１を３つに分割することを可能とした。そして、分割された３つの分割片のうち同部品の前部支柱となる左前部４１ｐと後部支柱となる左後部４１ｑのみを活かして使用することにより、外観を損ねることなく、組み付け後の安定性も図ることが可能となる。前述の前側切込部４１ｎにおいては、その一部が配管用切込部４１ｍと兼ねられた構成となっているが、前側切込部４１ｎおよび後側切込部４１ｏのいずれの切込部においても切込部を切断しない場合において部品単体としての剛性を確保するため、縦方向に一直線上に構成されないよう配置するものとする。また、いずれの切込部においても切込部を切断し夫々分割して使用する場合に、組み付け固定に必要となるため、夫々の分割片である左前部４１ｐおよび左後部４１ｑに必ず前述の固定用穴４１ｌが１箇所以上備わった構成とする。このように構成すれば、側面カバーの組み付けが困難となる面と隣り合う面側から各々の分割片を個別に組み付け可能となり、側面カバー全体を施工し難い面に無理に固定することなく、意匠上や強度上必要な分割片の部分だけを容易に施工可能となるので、施工性が向上するとともに意匠性も向上する。
【００３１】
以上のように、本発明によれば脚部カバー分割することを可能とし、分割された脚部カバーが各々単独で取り付け使用することが可能となるように構成したことにより、外観を損ねることなく、組み付け後の安定性も図ることが可能となる。
【符号の説明】
【００３２】
１０：貯湯タンクユニット
２０：脚部カバー
３０：配管カバー（右）
３１：配管カバー（左）
４０：側面カバー（右）
４０ｂ：内前面
４０ｄ：背面
４０ｅ：後面カバーガイド
４０ｇ：内側面
４０ｈ：前面
４０ｋ：上縁部
４０ｌ：固定用穴
４０ｍ：配管用切込部
４０ｎ：前側切込部
４０ｏ：後側切込部
４０ｐ：右後部
４０ｑ： 右前部
４１：側面カバー（左）
４１ｂ：内前面
４１ｄ：背面
４１ｅ：後面カバーガイド
４１ｇ：内側面
４１ｈ：前面
４１ｋ：上縁部
４１ｌ：固定用穴
４１ｍ：配管用切込部
４１ｎ：前側切込部
４１ｏ：後側切込部
４１ｐ：右後部
４１ｑ： 右前部
５０：後面カバー
５０ｂ：両側面
５０ｅ：上縁部
５０ｆ：固定用穴
５０ｇ：配管用切込部
６０：前面カバー
６０ｂ：上面
６０ｄ：コーナー部
６０ｇ：固定用穴
６０ｈ：配管用切込部
８０：けこみ部
９０：配管（外部配管）
１００：貯湯式給湯機
【図１】
0005712829.tif 000002
【図２】
0005712829.tif 000003
【図３】
0005712829.tif 000004
【図４】
0005712829.tif 000005
【図５】
0005712829.tif 000006
【図６】
0005712829.tif 000007
【図７】
0005712829.tif 000008
【図８】
0005712829.tif 000009
【図９】
0005712829.tif 000010
【図１０】
0005712829.tif 000011
【図１１】
0005712829.tif 000012
【図１２】
0005712829.tif 000013